(57)【要約】      （修正有）【課題】アウトドアスポーツ、例えば、ゴルフにおけるゴルファーが、キャップ型帽子又はサンバイザーを着用しプレー中に降雨となった場合、ゴルファーの帽子の庇部前端から雨水が滴り落ちることを防止し、ゴルファーが集中力を切らすことなくプレーすることができる、アウトドアスポーツ等に適したキャップ型帽子又はサンバイザーを提供する。【解決手段】キャップＣは、クラウン部１とクラウン部１の前部下周縁に取り付けられたツバ部２とよりなり、ツバ部２は、芯材３と庇部４からなっている。芯材３は、硬質樹脂材又は布製からなっている。【選択図】図１
0003152836.tif 000002
【実用新案登録請求の範囲】
【請求項１】
クラウン部と当該クラウン部の前部下周縁に取り付けられたツバ部とよりなるキャップ型帽子又はサンバイザーにおいて、
ツバ部は、芯材と庇部からなり、当該芯材と庇部は１〜複数の連結部材で連結されていることを特徴とする、アウトドアスポーツ等に適したキャップ型帽子又はサンバイザー。
【請求項２】
前記連結部材は、芯材固定板、回動板及び芯材固定板と回動板を連結する連結板よりなっていることを特徴とする、請求項１記載のアウトドアスポーツ等に適したキャップ型帽子又はサンバイザー。
【請求項３】
前記ツバ部の回動板は、指先等により上方に押し上げ又は引き下げ可能に連結板に固定されていることを特徴とする、請求項１〜請求項２の何れかに記載されているアウトドアスポーツ等に適したキャップ型帽子又はサンバイザー。
【請求項４】
前記回動板は、上方に約９０°〜１５０°回動可能であることを特徴とする、請求項１〜請求項３の何れかに記載されているアウトドアスポーツ等に適したキャップ型帽子又はサンバイザー。
【請求項５】
前記連結部材は、金属又は硬質樹脂材よりなっていることを特徴とする、請求項１〜請求項４の何れかに記載されているアウトドアスポーツ等に適したキャップ型帽子又はサンバイザー。
【請求項６】
前記ツバ部における芯材と庇部の境界周縁部には隙間部が形成されると共に、
当該隙間部は、木綿糸又は樹脂製糸により片倒し可能に縫合されていることを特徴とする、請求項１〜請求項５の何れかに記載されているアウトドアスポーツ等に適したキャップ型帽子又はサンバイザー。
【請求項７】
前記芯材と庇部の境界周縁部の両末端部は、閂止めされていることを特徴とする、請求項１〜請求項６の何れかに記載されているアウトドアスポーツ等に適したキャップ型帽子又はサンバイザー。
【考案の詳細な説明】
【技術分野】
【０００１】
本考案は、アウトドアスポーツ等に適したキャップ型帽子又はサンバイザーに関し、より詳しくは、例えば、帽子を着用したゴルファーがゴルフプレー中、降雨となった場合、帽子の庇から滴り落ちる雨垂れによる集中力を欠くことなく、プレーを続行することができる、アウトドアスポーツ等に適したキャップ型帽子又はサンバイザーに関する。
【背景技術】
【０００２】
近年、各種のアウトドアスポーツが盛んとなっており、ゴルフ、野球、テニス、釣り、キャンプ、ウォーキング、マラソン、トレッキング等の他、多種のスポーツが楽しまれている。このようなアウトドアスポーツにおける必携品の一つに帽子がある。また、スポーツだけでなくバードウオッチングや写真撮影等の野外活動にも帽子は必携品である。アウトドア用の帽子として、一般的にクラウン部（帽子における山の部分）とその前部下縁部に取り付けられた庇部とよりなるキャップ型帽子と、クラウン部の下端周縁部に円形状に取り付けられた鍔部（プリム）とよりなるハット型帽子又はクラウン部がないサンバイザー等が知られている。
【０００３】
各種のアウトドアスポーツにあって、特にゴルフのプレー中、降雨となった場合には、多量の降雨か雷雨となった場合を除き、通常、プレーは続行される。このような場合、キャップ型帽子又はサンバイザーを着用したゴルファーが打球態勢に入って顔を斜め下方に向けて、ショット又はパッティング動作を行なおうとすると、従来のキャップ型帽子又はサンバイザーでは、帽子の庇部（ツバ部）から雨水が滴り落ちるので、ゴルファーはボールが見えにくく集中力が欠けるため、ミスショットやパッティングミスを犯すという問題点があった。
【０００４】
上記、従来のキャップ型帽子の問題点を解決するために、若干の提案がなされている。
例えば、特許文献１の「水垂れ防止機能を有する帽子」（１頁、図１参照）、
特許文献２の「帽子」（１頁、図１参照）、
特許文献３の「ゴルフ用レインキャップ」（１頁、図１参照）、
特許文献４の「ゴルフ競技用雨除け帽子」（１頁、図４参照）、
特許文献５の「帽子」（１頁、図１参照）、
等である。
【０００５】
特許文献１は、前方のみに鍔のある野球帽タイプの帽子であって、鍔の先端に水滴の直進を妨げる障害物を設けたことを特徴としている。
【０００６】
特許文献２は、プレーヤーの頭に被せる帽体と、この帽体から延出したつば部とを備えており、つば部には、帽子に降った雨水滴を視界から外れる方向に速やかに流すことが可能な複数の凹凸部が設けられている。凹凸部は、複数の凹部と複数の凸部とを相互に組み合わせて構成されており、これら凹部と凸部との組み合わせから成る複数の凹凸部は、夫々、つば部の延出方向を横断（交差）する方向に対して所定の曲率で湾曲して且つ互いに略平行に延びていることを特徴としている。
【０００７】
特許文献３は、レインキャップのツバ部を、内蔵した板バネを利用しツバ部を上げ、且つ、突起線の効果により水滴が落ちる位置がショットやパッティングの邪魔にならないよう考慮したことを特徴としている。
【０００８】
特許文献４は、ハット型帽子のクラウン部の全周に構成されたブリム部の前部から側部に亙って、またキャップ型帽子の庇の縁に端縁を上方に屈折または屈曲した樋構造を構成した帽子を、防水性素材で構成するかまたは防水処理を施して防水構造としている。
【０００９】
特許文献５は、鍔の表地を吸水性及び速乾性を有する生地で構成し、裏地を撥水性及び透湿性を有する生地で構成すると共に、芯材を吸水性及び保水性を有する不織布で構成している。
【００１０】
特許文献１は、鍔の先端に水滴の直進を妨げる障害物を設けてなるが、例えば、ゴルフのプレー中、ゴルファーは打球態勢に入るために顔を斜め下方に向けて、ショット又はパッティング動作を行なうので、強い降雨のとき、鍔先端の障害物はその目的を達成することができない。
【００１１】
特許文献２についても、帽子のつば部は、斜め下方に向けられるので、激しい降雨のときは、凹凸部で雨水をつば部の横方向へ流すことはできないので、雨水はつば部先端から滴り落ちるのでプレーの妨げとなる。
【００１２】
また特許文献３も、降雨時にはショット又はパッティング時、ツバ部は斜め下方に向けられるので、突起線の効果は発揮されない。
【００１３】
さらに特許文献４においては、キャップ型帽子の庇の縁に端縁を上方に屈折または屈曲した樋構造を構成しているが、プレーに際しキャップ型帽子の庇は、斜め下方に向けられるので、樋中に貯った雨水が庇の前端から落下するので、ゴルファーの集中力は欠けると共に、ボールをクリーンヒットできるか不安になり、好プレーは期待できない。また庇の樋の中に貯った雨水で庇は重くなり、歩行中に下方に落ち込んでくる不具合がある。
【００１４】
特許文献５は、鍔表地の吸水量より降雨量が多いときは、鍔先からの雨垂れを防ぐことができない。また鍔の生地は吸水性があるので吸水した雨水により、特許文献４と同様に帽子全体が重くなり、着用者は不快となる欠点がある。
【先行技術文献】
【特許文献】
【００１５】
【特許文献１】特開２００１−４０５１９号公報
【特許文献２】特開２０００−８２１８号公報
【特許文献３】登録実用３０９２５２６号公報
【特許文献４】登録実用３０７２３１１号公報
【特許文献５】登録実用３０６６５６２号公報
【考案の概要】
【考案が解決しようとする課題】
【００１６】
本考案が解決しようとする第１の課題は、アウトドアスポーツ、例えば、ゴルフにおけるゴルファーが、キャップ型帽子又はサンバイザーを着用してプレー中、降雨となった場合、ゴルファーの帽子の庇部前端から雨水が滴り落ちることを防止し、ゴルファーが集中力を切らすことなくプレーすることができる、アウトドアスポーツ等に適したキャップ型帽子又はサンバイザーの提供であり、第２の課題は、降雨による帽子の重量が増すことを防ぐことができる、アウトドアスポーツ等に適したキャップ型帽子又はサンバイザーの提供である。
【課題を解決するための手段】
【００１７】
本考案者は、上記従来技術が有する各種問題点に鑑み、鋭意検討を重ねて本考案を完成させたものである。
課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊
本願考案における実用新案登録請求の範囲、明細書及び要約書等に記載の用語についての解釈上の疑義を解消すべく、以下に本考案の実用新案登録請求の範囲、明細書等に記載する用語の説明を行うこととする。
〈用語の説明〉
○キャップ型帽子とは、クラウン部とその前部下縁部に取り付けられたツバ部とよりなる、いわゆる野球帽タイプの帽子をいう。
○サンバイザーとは、キャップ型帽子のクラウン部がないものをいう。
○クラウン部とは、帽子における頭部を覆う半円状部分をいう。
○ツバ部とは、キャップ型帽子におけるクラウン部の前部下縁部取り付けられた、芯材と庇部の連結体をいう。
○芯材とは、ツバ部の大半を構成する樹脂材又は布製からなる基盤体をいう。撥水性の表布地と裏布地で被覆される。
○庇部とは、ツバ部の前周縁部をいう。撥水性の表布地と裏布地で被覆される。
○連結部材とは、ツバ部を構成する芯材と庇部を連結する部材をいう。芯材固定板、回動板及び芯材固定板と回動板を連結する連結板よりなり、金属、例えば、真鍮、アルミニウム材又は硬質樹脂材を素材とする。
○縫合（ステッチ）とは、芯材と庇部の境界周縁部間に形成された隙間部を、木綿糸又は樹脂製糸等による縫い合わせることをいう。
○閂止めとは、縫合の縫い終わりを固定する縫い止め方法の一種をいう。縫い終わりに縫い目を直角に０．４ｃｍ程の針目で糸を２本渡して掬い、この２本の糸を芯にしてかけ、針を通して引き締めて渡した糸いっぱいに糸をかけ、さらにもう一度余分に糸をかけて絞め、裏へ糸を出して止める。
＊＊＊＊＊＊＊＊＊＊＊＊＊＊＊＊＊＊＊＊＊＊＊＊＊＊＊＊＊＊＊＊＊＊＊
【００１８】
上記の課題を解決するための第１の考案は、請求項１に記載する考案であり、
クラウン部と当該クラウン部の前部下周縁に取り付けられたツバ部とよりなるキャップ型帽子又はサンバイザーにおいて、
ツバ部は、芯材と庇部からなり、当該芯材と庇部は１〜複数の連結部材で連結されていることを特徴としている。
【００１９】
上記の課題を解決するための第２の考案は、請求項２に記載する考案であり、
前記連結部材は、芯材固定板、回動板及び芯材固定板と回動板を連結する連結板よりなっていることを特徴としている。
【００２０】
上記の課題を解決するための第３の考案は、請求項３に記載する考案であり、
前記ツバ部の回動板は、指先等により上方に押し上げ又は引き下げ可能に連結板に固定されていることを特徴としている。
【００２１】
上記の課題を解決するための第４の考案は、請求項４に記載する考案であり、
前記回動板は、上方に約９０°〜１５０°回動可能としていることを特徴としている。
【００２２】
上記の課題を解決するための第５の考案は、請求項５に記載する考案であり、
前記連結部材は、金属又は硬質樹脂材よりなっていることを特徴としている。
【００２３】
上記の課題を解決するための第６の考案は、請求項６に記載する考案であり、
前記ツバ部における芯材と庇部の境界周縁部には隙間部が形成されると共に、
当該隙間部は、木綿糸又は樹脂製糸により片倒し可能に縫合されていることを特徴としている。
【００２４】
上記の課題を解決するための第７の考案は、請求項７に記載する考案であり、
前記芯材と庇部の境界周縁部の両末端部は、閂止めされていることを特徴としている。
【考案の効果】
【００２５】
本考案に係る、アウトドアスポーツ等に適したキャップ型帽子又はサンバイザーは、上記のような特徴的構成要件から構成され、特徴的構成要件に応じた、以下のような本願考案特有の効果を奏する。また、上記のような特徴的構成要件から構成されたアウトドアスポーツ等に適したキャップ型帽子又はサンバイザーによれば、本願考案の課題を十分解消することができた。
すなわち、第１の考案によれば、
「クラウン部と当該クラウン部の前部下周縁に取り付けられたツバ部とよりなるキャップ型帽子又はサンバイザーにおいて、ツバ部は、芯材と庇部からなり、当該芯材と庇部は１〜複数の連結部材で連結されている」という、特徴的な構成要件により、
アウトドアスポーツ、例えば、ゴルフにおけるゴルファーが、キャップ型帽子を着用しプレー中に降雨となった場合、ゴルファーの帽子の庇部前端から雨水が滴り落ちることを防止し、ゴルファーはプレーに集中することができる、アウトドアスポーツ等に適したキャップ型帽子又はサンバイザーを提供することができた。即ち本考案が解決しようとする課題を解決することができ、当業者が予測不可能な顕著な効果を奏することができた。
【００２６】
第２の考案によれば、
「前記連結部材は、芯材固定板、回動板及び芯材固定板と回動板を連結する連結板よりなっている」という、特徴的な構成要件により、
また第３の考案によれば、
「前記ツバ部の回動板は、指先等により上方に押し上げ又は引き下げ可能に連結板に固定されている」という、特徴的な構成要件により、
好天気のときは、通常のキャップ型帽子又はサンバイザーとして機能し、いったん降雨となり、庇部から雨垂れする状態となれば、庇部先端を指先又はゴルフクラブのグリップエンド等により上方に押し上げれば、雨水は庇部の側面から落下するので、プレーの集中力は欠けることがないので、ナイスショット又はナイスパットをすることができる。
【００２７】
第４の考案によれば、
「前記回動板は、上方に約９０°〜１５０°回動可能としている」という、特徴的な構成要件により、
プレーに際し、回動板に取り付けられた庇部先端を、指先等により上方に押し上げ、顔面を斜め下方に向けても、雨滴は庇部先端から落下しないので、冷静にプレーすることができる。
【００２８】
第５の考案によれば、
「前記連結部材は、金属又は硬質樹脂材よりなっている」という、特徴的な構成要件により、
ツバ部の重量を軽量とすることができ、帽子を着用して雨天、晴天等の天候に影響を受けることなく、楽しくプレーすることができる。
【００２９】
第６の考案によれば、
「前記ツバ部における芯材と庇部の境界周縁部には隙間部が形成されると共に、
当該隙間部は、木綿糸又は樹脂製糸により片倒し可能に縫合されている」という、特徴的な構成要件により、
芯材と庇部の境界周縁部に形成された隙間部により、また木綿糸又は樹脂製糸により片倒し可能に縫合されているので庇部を円滑に上方に押し上げることができる。さらに庇部は必要以上に垂れ下がることがないのでプレーの障碍とならない。
【００３０】
第７の考案によれば、
「前記芯材と庇部の境界周縁部の両末端部は、閂止めされている」という、特徴的な構成要件により、
「庇部の押し上げ又は引き下げの頻度数が多くなっても、周縁部の両末端部は、閂止めしているので、両末端部がすり切れる等の不具合を防ぎ、長期に亘って使用することができる。
【図面の簡単な説明】
【００３１】
【図１】は、本考案に係る、アウトドアスポーツ等に適したキャップ型帽子の斜視図である。
【図２】は、同ツバ部の平面図である。
【図３】は、同ツバ部の底面図である。
【図４】は、連結部材を示している。（ａ）は、連結部材の平面図である。（ｂ）は、連結部材を分離した状態の平面図である。
【図５】は、図２におけるＡ−Ａ線拡大断面図である。（ａ）は、通常時のツバ部の状態を示す拡大断面図である。（ｂ）は、庇部をほぼ直角に回動した状態を示す拡大断面図である。
【図６】は、同庇部をほぼ直角に回動した状態の斜視図である。
【図７】は、本考案に係る、アウトドアスポーツ等に適したサンバイザーの斜視図である。
【図８】は、ツバ部の第２の実施形態を示す底面図である。
【図９】は、ツバ部の第３の実施形態を示す底面図である。
【考案を実施するための形態】
【００３２】
以下、本考案に係る、アウトドアスポーツ等に適したキャップ型帽子及びサンバイザーについて、図面を参照して詳細に説明する。図１は、本考案に係る、アウトドアスポーツ等に適したキャップ型帽子（以下、キャップＣという）を示している。キャップＣは、クラウン部１とクラウン部１の前部下周縁に取り付けられたツバ部２とよりなっている。図２及び図３に示すように、ツバ部２は、芯材３と庇部４からなっている。芯材３は、硬質樹脂材又は布製からなり、その上面及び下面は、撥水性の表布地３ａと裏布地３ｂで被覆されている。庇部４の上面及び下面も同様に撥水性の表布地４ａと裏布地４ｂで被覆されている。
【００３３】
図１〜図３に図示する、９は、縫合（ステッチ）で、芯材３と庇部４の境界周縁部には隙間部Ｍが形成され、両周縁部は、木綿糸又は軟質樹脂製糸により片倒し（押し上げ）可能に縫合されている。１０は、芯材３と庇部４の境界周縁部の両末端部を補強するための閂止めで、これにより、庇部４の押し上げ又は引き下げの頻度が多くなっても、両末端部がすり切れる等の不具合が起きないようにしている。
【００３４】
図４（ａ）及び（ｂ）に示す、５は、連結部材で、芯材３と庇部４を連結するもので、芯材固定板６、回動板７及び芯材固定板６と回動板７を連結する連結板８とよりなっている。芯材固定板６の一端には、かしめ用の穴６ａが穿設され、他端には、舌片状に延設されて上方に曲成した係止部６ｂが形成されている。また芯材固定板６のほぼ中央には、連結板８に嵌着するための楕円状の凸起６ｃが形成されている。回動板７の一端には、かしめ用の穴７ａが穿設され、他端には、上方に向けて半円状の曲面部７ｂが形成されると共に、芯材固定板６の係止部６ｂ及び連結板８の係止部８ａに係合するための係合スリット７ｃが形成されている。連結板８の芯材固定板６側には、芯材固定板６の凸起６ｃに嵌着するための楕円状嵌合穴８ｂが形成されている。連結板８の回動板７側には、フック状の係止部８ａが形成されている。連結部材５の全体の長さＬは、約２８ｍｍ、巾寸法Ｗは、約１０ｍｍとしている。連結部材５は、図２及び図３において３個を配設しているが、１個（図８、参照）又は２個（図９、参照）とすることもできる。連結部材５における各部材の芯材固定板６、回動板７及び連結板８の素材は、金属、例えば、真鍮、アルミニウム材又は硬質樹脂材、例えばＦＲＰ（繊維強化プラスチック）等が好適に使用され、公知の成型法によって製作される。
【００３５】
図５は、芯材３と庇部４の連結状態を示している。図５（ａ）は、通常時のツバ部２の状態で、芯材３と庇部４は、連結部材５によって直線状になっている。図示するように、芯材固定板６の一端は、かしめ鋲１１によって芯材３と固定されている。回動板７の一端は、かしめ鋲１２によって庇部４と固定されている。連結板８の係止部８ａ及び芯材固定板６の係止部６ｂは、回動板７の係合スリット７ｃで係合されている。例えば、ゴルフプレー中に降雨となり、庇部４を上方に上げるときは、指先又はゴルフクラブのグリップエンド等で図５（ａ）に示すＰ方向に押し上げれば、庇部４は、図５（ｂ）に示す状態に瞬時になり、雨滴は、ツバ部２の側面から落下し、ゴルファーは集中力を切らすことなく、ナイスショット又はナイスパッティングをすることができる。
【００３６】
図６は、庇部４を上方に押し上げた状態の外観図で、この状態にすることにより、ゴルフプレー中に激しい降雨となっても、雨滴は庇部先端から落下することがないので、プレーヤーは、集中力を切らすことなく、通常のプレーを続行することができる。
【００３７】
図７は、本考案に係る、アウトドアスポーツ等に適したサンバイザーＳを示している。サンバイザーＳは、本考案に係る、キャップ型帽子Ｃにおけるクラウン部１がないものであり、ツバ部２を構成する芯材３、庇部４及び連結部材５と、連結部材５を構成する芯材固定板６、回動板７及び連結板８は、本考案に係る、キャップ型帽子Ｃと同様に構成されるので、詳細な図示及び説明は省略する。
【００３８】
図８は、本考案に係る、キャップ型帽子Ｃにおける連結部材５をツバ部２２に、１個取り付けた状態を示している。連結部材５が１個でも縫合（ステッチ）９２、また閂止め１０２により、庇部４２の上方への押し上げ又は引き下げには十分に対応できる、強度と耐用性を有している。
【００３９】
図９は、本考案に係る、キャップ型帽子Ｃにおける連結部材５をツバ部２３に、２個取り付けた状態を示している。連結部材５が１個でも縫合（ステッチ）９３、また閂止め１０３により、庇部４３の上方への押し上げ又は引き下げには十分に対応できる、強度と耐用性を有している。
【００４０】
以上は、本考案に係る、アウトドアスポーツ等に適したキャップ型帽子Ｃ又はサンバイザーＳに関し、主にゴルフについて説明したが、他のアウトドアスポーツ、例えば野球、テニス、釣り、キャンプ、ウォーキング、マラソン、トレッキング等の他、バードウオッチングや写真撮影等の野外活動にも好適に着用されることはもちろんである。
【符号の説明】
【００４１】
Ｃ                        キャップ
Ｓ                        サンバイザー
Ｍ                        隙間部
１                        クラウン部
２                        ツバ部
３                        芯材
３ａ                      表布地
３ｂ                      裏布地
４                        庇部
４ａ                      表布地
４ｂ                      裏布地
５                        連結部材
６                        芯材固定板
７                        回動板
８                        連結板
９                        縫合（ステッチ）
１０                      閂止め
【図１】
0003152836.tif 000003
【図２】
0003152836.tif 000004
【図３】
0003152836.tif 000005
【図４】
0003152836.tif 000006
【図５】
0003152836.tif 000007
【図６】
0003152836.tif 000008
【図７】
0003152836.tif 000009
【図８】
0003152836.tif 000010
【図９】
0003152836.tif 000011